(57)【特許請求の範囲】
【請求項１】
下地（４）に固定されたベース板（３１）に支持部材（３０）を立設し、該支持部材（３０）に柱（３，６４）を嵌合してその側壁（４０ａ，４５）を固定具（３８）により固定したエクステリア構造物において、前記柱（３，６４）は前記支持部材（３０）に套嵌され且つ前記固定具（３８）により前記支持部材（３０）に固定された柱本体（４０）と、該柱本体（４０）に沿って着脱自在に装着され且つ前記固定具（３８）を覆うカバー（４２）と、前記柱本体（４０）及び前記カバー（４２）を上側から覆うキャップ（４３）とを有し、前記柱本体（４０）は前記カバー（４２）により覆われた部分に係合部（５５）を有し、前記キャップ（４３）は前記柱本体（４０）と前記カバー（４２）との内側に挿入される挿入部（５２〜５４）と、該挿入部（５３）に設けられ且つ前記係合部（５５）に係脱自在に係合する係合爪（５６）とを有することを特徴とするエクステリア構造物。
【請求項２】
前記柱本体（４０）及び前記カバー（４２）は前記固定具（３８）の左右両側で上下方向の略全長に設けられた結合部（４８）を介して上下方向に挿脱自在に結合されていることを特徴とする請求項１に記載のエクステリア構造物。
【請求項３】
前記キャップ（４３）は内側で前記柱本体（４０）に着脱自在に固定され、前記カバー（４２）に対して上下方向に挿脱自在であることを特徴とする請求項１又は２に記載のエクステリア構造物。
【請求項４】
前記柱本体（４０）は前記固定具（３８）により前記支持部材（３０）に固定される前記側壁（４５）を有し、該側壁（４５）の上部に前記係合部（５５）を設けたことを特徴とする請求項１〜３何れかに記載のエクステリア構造物。
【請求項５】
前記ベース板（３１）は前後一対の前記支持部材（３０）を有し、前記柱（３）は幅決め材（４１）を介して前後に連結され且つ前記各支持部材（３０）に嵌合する前後一対の前記柱本体（４０）と、前記幅決め材（４１）と反対側で前記各柱本体（４０）に装着された前後一対の前記カバー（４２）とを有することを特徴とする請求項１〜４の何れかに記載のエクステリア構造物。
【請求項６】
前記各柱本体（４０）は対向側壁（４４）と反対向側壁（４５）とを前後に有し、前記対向側壁（４４）が前記反対向側壁（４５）側から挿通されたネジ（４６）により前記幅決め材（４１）に固定され、前記反対向側壁（４５）が前記支持部材（３０）に前記固定具（３８）により固定されていることを特徴とする請求項５に記載のエクステリア構造物。
【発明の詳細な説明】
【技術分野】
【０００１】
本発明は、門扉等のエクステリア構造物、取り分けベース板の支持部材に套嵌して固定される柱の構造に関するものである。
【背景技術】
【０００２】
戸建住宅の出入口、マンションのポーチ等に門扉を取り付けるに際して、その吊り元支柱、戸当たり支柱等の支柱を設ける場合、支柱の下部をコンクリート下地に埋設して固定する施工法の他に、コンクリート下地にアンカーボルトによりベース板を固定し、このベース板上の支持部材に支柱を套嵌した後、支柱の側壁と支持部材とをネジにより固定する施工法がある（特許文献１）。
【特許文献１】特開２００３−２３９６６６号公報
【発明の開示】
【発明が解決しようとする課題】
【０００３】
ベース板を利用して支柱を固定する施工法は、既存のコンクリート下地に対しても大掛かりな工事が必要でなく比較的容易に施工できる利点がある。しかし、この施工法を採用した場合には、支柱の外側からその側壁に複数本のネジを挿通して支柱を支持部材に固定しているため、支柱の下部にネジの頭部が露呈することになり、支柱をコンクリート下地に埋め込む場合に比較して見栄えが悪くなると云う問題がある。
【０００４】
本発明は、このような従来の問題点に鑑み、簡単な構造の柱を使用しながら見栄え良く容易に施工できるエクステリア構造物を提供することを目的とする。
【課題を解決するための手段】
【０００５】
本発明は、下地４に固定されたベース板３１に支持部材３０を立設し、該支持部材３０に柱３，６４を嵌合してその側壁４０ａ，４５を固定具３８により固定したエクステリア構造物において、前記柱３，６４は前記支持部材３０に套嵌され且つ前記固定具３８により前記支持部材３０に固定された柱本体４０と、該柱本体４０に沿って着脱自在に装着され且つ前記固定具３８を覆うカバー４２と、前記柱本体４０及び前記カバー４２を上側から覆うキャップ４３とを有し、前記柱本体４０は前記カバー４２により覆われた部分に係合部５５を有し、前記キャップ４３は前記柱本体４０と前記カバー４２との内側に挿入される挿入部５２〜５４と、該挿入部５３に設けられ且つ前記係合部５５に係脱自在に係合する係合爪５６とを有するものである。
【０００６】
前記柱本体４０及び前記カバー４２は前記固定具３８の左右両側で上下方向の略全長に設けられた結合部４８を介して上下方向に挿脱自在に結合されていてもよい。前記キャップ４３は内側で前記柱本体４０に着脱自在に固定され、前記カバー４２に対して上下方向に挿脱自在でもよい。
【０００７】
前記柱本体４０は前記固定具３８により前記支持部材３０に固定される前記側壁４５を有し、該側壁４５の上部に前記係合部５５を設けたものでもよい。前記ベース板３１は前後一対の前記支持部材３０を有し、前記柱３は幅決め材４１を介して前後に連結され且つ前記各支持部材３０に嵌合する前後一対の前記柱本体４０と、前記幅決め材４１と反対側で前記各柱本体４０に装着された前後一対の前記カバー４２とを有するものでもよい。
【０００８】
前記各柱本体４０は対向側壁４４と反対向側壁４５とを前後に有し、前記対向側壁４４が前記反対向側壁４５側から挿通されたネジ４６により前記幅決め材４１に固定され、前記反対向側壁４５が前記支持部材３０に前記固定具３８により固定されていてもよい。
【発明の効果】
【０００９】
本発明によれば、簡単な構造の柱を使用しながら見栄え良く容易に施工できる利点がある。
【発明を実施するための最良の形態】
【００１０】
以下、本発明の実施例を図面に基づいて詳述する。図１〜図１５は垂直パンタグラフ式の伸縮門扉に採用した本発明の第１の実施例を例示する。
【００１１】
この伸縮門扉は、図１〜図５に示すように、戸建住宅その他の出入口１の左右両側でコンクリート下地４に立設された吊り元支柱２及び戸当たり支柱３と、この吊り元支柱２及び戸当たり支柱３間に左右方向に伸縮自在に配置され且つ車輪２１を介してコンクリート下地４上を伸縮方向に走行する扉体６とを有する。なお、７は出入口１の両側に設けられた塀である。車輪２１は前後方向の車軸により支持され直進性を有する。
【００１２】
扉体６は複数本の斜架材８，９を交差状に組み合わせてなるパンタグラフ機構１０と、左右方向に等間隔を置いて配置され且つパンタグラフ機構１０に連結された複数本の縦枠１１とを備えている。扉体６の吊り元端側の縦枠１１は吊り元支柱２に連結されている。また戸当たり端側の縦枠１１は施錠枠１２に連結され、その施錠枠１２が戸当たり支柱３に当接して施錠手段１３（図４参照）により施錠されるようになっている。
【００１３】
各縦枠１１は図６、図７に示すように、パンタグラフ機構１０と対向する内側に凹溝１４が形成された角筒状の前後一対の縦枠材１５と、この前後の縦枠材１５の上下両端を前後に連結する幅決め材１６とを備え、その前後の縦枠材１５間にパンタグラフ機構１０が設けられている。なお、各縦枠材１５にはパンタグラフ機構１０と反対側にカバー１７が設けられている。前側のカバー１７は前面側が円弧状に形成された筒状であり、後側のカバー１７は偏平な板状になっている。
【００１４】
パンタグラフ機構１０は図２に示すように、斜架材８，９同士の交差部が前後方向のピン軸１８〜２０により枢着されており、各縦枠１１に対応する上下方向に複数個の交差部の内、その１個の交差部のピン軸１８が前後の縦枠材１５に上下動不能に連結され、他の交差部のピン軸１９が前後の縦枠材１５の凹溝１４に上下摺動自在に連結されている。
【００１５】
施錠枠１２は各縦枠１１と略同一構造であって、図４、図６、図７にも示すように前後一対の縦枠材２２と、この一対の縦枠材２２の上下両端に前後方向に配置された幅決め材２３と、幅決め材２３と反対側で各縦枠材２２に着脱自在に装着されたカバー２４とを有する。前後のカバー２４には把手２５が装着され、また各縦枠材２２内には落とし棒２６が設けられている。車輪２１は戸当たり間側及び中間の縦枠１１の前後の縦枠材１５の下端部に取り付けられている。
【００１６】
吊り元支柱２、戸当たり支柱３は、図５〜図７に戸当たり支柱３を例示するように略同一構造であって、支持部材３０を有するベース板３１を介してコンクリート下地４に固定されている。ベース板３１は図６〜図９に示すように略矩形状であり、その上面に前後一対の支持部材３０が上方に突出して固定されると共に、四隅近傍にアンカーボルト３２用の取り付け孔３３が、各支持部材３０の左右方向の近傍に落とし棒２６用の落とし孔２７が夫々形成されている。そして、ベース板３１は、取り付け孔３３に挿通されたコンクリート下地４側のアンカーボルト３２と、これに螺合するナット３５とによりコンクリート下地４の上面に固定されている。
【００１７】
支持部材３０は例えばコ字状の部材であって、取り付け部３６側が前後方向の外側となるように開放端側を前後に対向させて配置され、下端部の内周縁に沿う溶接部３０ａでベース板３１に溶接により固定されている。取り付け部３６には上下左右に複数個、例えば４個のネジ孔３７が前後方向に形成されている。
【００１８】
戸当たり支柱３は図５〜図７に示すように、縦枠１１、施錠枠１２と略同じ間隔で前後方向に配置され且つ縦枠１１、施錠枠１２よりも左右幅が大きい前後一対の支柱本体（柱本体）４０と、この一対の支柱本体４０を前後に連結する上下方向に複数個の幅決め材４１と、各支柱本体４０の幅決め材４１と反対側で各支柱本体４０に着脱自在に装着されたカバー４２と、各支柱本体４０及びカバー４２を上側から覆う合成樹脂製のキャップ４３とを備えている。幅決め材４１は左右に２本並設されている。
【００１９】
各支柱本体４０は図１０〜図１４に示すように、対向側壁４４と反対向側壁４５とを前後両側に備えた矩形筒状で、その対向側壁４４間に前後方向の幅決め材４１が左右に２個介在され、反対向側壁４５側の通孔４５ａ側から対向側壁４４に挿通されたネジ４６により幅決め材４１に固定されている。なお、幅決め材４１は支柱本体４０の上端部と上下方向の中間部とに設けられている。
【００２０】
各支柱本体４０の反対向側壁４５には、支持部材３０の各ネジ孔３７に対応して取り付け孔４７が前後方向に形成されている。そして、各支柱本体４０の下部は各支持部材３０の外側に套嵌され、反対向側壁４５の取り付け孔４７から支持部材３０のネジ孔３７に螺合するネジ（固定具）３８により支持部材３０に固定されている。
【００２１】
なお、各支柱本体４０の内周と各支持部材３０の外周との間には前後方向及び左右方向に所定の隙間があり、前後一対の支柱本体４０を幅決め材４１を介して一体に結合した状態において、各支柱本体４０を各支持部材３０に容易に套嵌できるようになっている。
【００２２】
各支柱本体４０とカバー４２は略同一長さであって、結合部４８を介して上下方向に挿脱自在に結合されている。結合部４８は左右方向の両側に上下方向の略全長にわたって設けられ、その一方である支柱本体４０の反対向側壁４５の左右両側に設けられた嵌合凹部４９と、他方側であるカバー４２の左右両側に設けられた嵌合凸部５０とを有する（図１２、図１４参照）。前側のカバー４２は断面コ字状、後側のカバー４２は板状であり、各支柱本体４０の反対向側壁４５の通孔４５ａ、ネジ３８の頭部３８ａはカバー４２により夫々外側から覆われている。
【００２３】
前側のキャップ４３は図１０〜図１２に示すように、支柱本体４０及びカバー４２の開口端を上側から覆い且つ外周縁側が支柱本体４０及びカバー４２の上端に当接する天板部５１と、支柱本体４０内に挿入される左右一対の挿入部５２と、支柱本体４０とカバー４２との間で反対向側壁４５に沿って挿入される挿入部５３と、この挿入部５３の左右両側からカバー４２の内周に沿って形成され且つカバー４２の内周に沿って挿入される挿入部５４とを一体に備えている。
【００２４】
後側のキャップ４３は図１３〜図１５に示すように、支柱本体４０及びカバー４２の開口端を上側から覆い且つ外周縁側が支柱本体４０及びカバー４２の上端に当接する天板部５１と、支柱本体４０内に挿入される左右一対の挿入部５２と、支柱本体４０とカバー４２との間で反対向側壁４５に沿って挿入される挿入部５３とを一体に備えている。なお、各挿入部５２〜５４は天板部５１から下方に突出している。
【００２５】
支柱本体４０の反対向側壁４５には、上端から若干下がった位置に孔等の係合部５５が設けられている。各キャップ４３の挿入部５３には、反対向側壁４５の係合部５５に対して係脱自在に係合する係合爪５６が係脱方向に弾性変形可能に設けられている。係合爪５６はキャップ４３の挿入部５２〜５４を支柱本体４０、カバー４２の上端部に挿入することにより係合部５５に係合し、また反対向側壁４５と挿入部５３との間に下側から工具等を挿入することにより係合部５５から離脱可能である。
【００２６】
なお、吊り元支柱２、戸当たり支柱３は通常、その下端部をコンクリート下地４に埋設し得るだけの長さを有し、支持部材３０を有するベース板３１を使用して立設する場合には、その埋設部分を切断して使用する。しかし、吊り元支柱２、戸当たり支柱３は、ベース板３１を使用して施工する専用のものでもよい。
【００２７】
上記構成の伸縮門扉において、例えば戸当たり支柱３をベース板３１を利用してコンクリート下地４に固定する施工に際しては、次のように行う。先ずコンクリート下地４の所定位置にアンカーボルト３２を埋設しておき、そのアンカーボルト３２とナット３５とにより、支持部材３０を備えたコンクリート下地４にベース板３１を固定する。
【００２８】
一方、埋設用であるか否かを問わず戸当たり支柱３は、前後一対の支柱本体４０を幅決め材４１、ネジ４６等により前後に連結すると共に、その各支柱本体４０に結合部４８を介して各カバー４２を装着し、各支柱本体４０及びカバー４２の上端にキャップ４３を装着して、その係合爪５６が支柱本体４０の係合部５５に係合した組み立て状態にある。
【００２９】
埋設用の戸当たり支柱３を使用する場合には、前後の支柱本体４０の埋設部分の下端部間に前後方向にアンカーが架設されている。そこで、吊り元支柱２の各支柱本体４０及びカバー４２を下端から所定寸法の位置で横方向に切断して埋設部分を除去し、戸当たり支柱３の上下方向の寸法を調整する。
【００３０】
組み立て状態の戸当たり支柱３では、支柱本体４０に結合部４８を介して装着されたカバー４２は、キャップ４３により上方への移動が規制されている。しかし、カバー４２は下方向への抜き取りは可能であるので、結合部４８の嵌合凹部４９と嵌合凸部５０とを相対的に摺動させながらカバー４２を支柱本体４０から下方へと抜き取る。
【００３１】
するとカバー４２に覆われていたキャップ４３の挿入部５３が露呈するため、その挿入部５３と支柱本体４０の反対向側壁４５との間に工具等を挿入して係合爪５６を係合部５５から外し、キャップ４３を支柱本体４０から上方へと取り外す。
【００３２】
次に各支柱本体４０の反対向側壁４５の下部に、支持部材３０のネジ孔３７に対応する間隔で４個の取り付け孔４７を形成する。そして、前後の支柱本体４０が幅決め材４１を介して一体に結合された状態のままで、その下端開口側を各支持部材３０の上端に合わせながら外周側へと套嵌し、反対向側壁４５の取り付け孔４７側から挿入したネジ３８を支持部材３０のネジ孔３７に螺合して、支柱本体４０の反対向側壁４５を支持部材３０に締結する。
【００３３】
これにより各支柱本体４０をベース板３１の各支持部材３０に固定できるので、次にカバー４２の嵌合凸部５０の下端を支柱本体４０の嵌合凹部４９の上端に合わせ、嵌合凸部５０と嵌合凹部４９との相対摺動によりカバー４２を支柱本体４０に沿って挿入し装着する。そして、最後にキャップ４３の各挿入部５２〜５４を支柱本体４０、カバー４２に合わせて挿入して、キャップ４３の係合爪５６が支柱本体４０の反対向側壁４５の係合部５５に係合する。
【００３４】
このようにすれば、支柱本体４０をネジ３８で支持部材３０に固定しているにも拘わらず、その頭部３８ａをカバー４２で覆うことができ、ネジ３８の頭部３８ａが外部に露呈しないので、戸当たり支柱３の下部側の見栄えを良好にできる。
【００３５】
またキャップ４３を装着して係合爪５６を支柱本体４０の係合部５５に係合することにより、キャップ４３を支柱本体４０に固定できると共に、その天板部５１でカバー４２の上側への移動を規制できる。しかも、係合爪５６、係合部５５が支柱本体４０とカバー４２とにより取り囲まれた内部にあるため、その後のキャップ４３の取り外しは不能となり、キャップ４３、カバー４２が不正に分解される等の惧れもない。
【００３６】
更に支柱本体４０を支持部材３０に対して外側からネジ３８で固定し、その後にカバー４２、キャップ４３を装着する等、全ての作業を外側から行えるので、作業性が向上し容易に施工できる利点がある。またネジ３８の頭部３８ａをカバー４２で覆うにも拘らず、支柱本体４０の側面にカバー４２を装着すればよいことから、構造的にも非常に簡単であり、低コストで容易且つ安価に製作できる。また支柱本体４０にカバー４２が取り外し不能に結合されているため、戸当たり支柱３の強度も期待できる。
【００３７】
図１６は本発明の第２の実施例を例示する。この戸当たり支柱３は、前後方向に長い矩形筒状に形成された支柱本体４０と、この支柱本体４０の前後両側に結合部４８を介して上下方向に挿脱自在に挿入されたカバー４２とを備えている。ベース板３１には支柱本体４０の前後両側の側壁４０ａ間の内側に近接して前後一対の支持部材３０が立設されている。そして、支柱本体４０は前後一対の支持部材３０に套嵌され、前後の側壁４０ａが複数本のネジ３８により各支持部材３０に固定されている。
【００３８】
なお、戸当たり支柱３の上端には、第１の実施例と同様に支柱本体４０及びカバー４２の上端開口を塞ぐキャップ４３が装着されている。その場合、対向する側壁４０ａに係合部５５を形成し、この各係合部５５に係合する係合爪５６をキャップ４３に２個設けることが望ましい。
【００３９】
このように支柱本体４０が前後方向に長い矩形筒状の場合には、その支柱本体４０に対して前後方向に複数個の支持部材３０をベース板３１に設ける等によって、第１の実施例と同様に実施可能である。勿論、支持部材３０は支柱本体４０の大きさによっては１本でもよい。また支持部材３０は角筒状、円筒状でもよい。
【００４０】
図１７は本発明の第３の実施例を例示する。この実施例では、ベース板３１上に前後一対の支持部材３０が固定され、その両支持部材３０は上部側で連結部材６０により前後方向に連結されている。なお、支持部材３０と連結部材６０は溶接又はネジ止め等で固定すればよい。
【００４１】
このようにベース板３１上に所定の間隔をおいて複数個の支持部材３０を立設し、その複数個の支持部材３０を取り囲むように支柱本体４０を套嵌する場合には、各支持部材３０相互の適当箇所を連結部材６０を介して連結することにより剛性が向上し、支持部材３０として薄手の材料を使用することも可能である。
【００４２】
図１８及び図１９は本発明の第４の実施例を例示する。この実施例では、ブロック塀６２等のコンクリート下地４の上にフェンス６３が設けられている。フェンス６３は左右両端の支柱６４間に上下一対の横桟６５が設けられ、その横桟６５間に左右方向に所定間隔を置いて複数個の縦桟６６が設けられている。
【００４３】
支柱６４は角筒状であって、各実施例と同様に支柱本体４０とカバー４２とを備え、その支柱本体４０がベース板３１上の支持部材３０に套嵌され、その側壁４０ａがネジ３８により支持部材３０に固定されている。ベース板３１はアンカーボルト３２等を介してブロック塀６２等のコンクリート下地４の上に固定されている。
【００４４】
このようにフェンス６３を設置する場合にも、支持部材３０を有するベース板３１をコンクリート下地４側に固定しておき、その支持部材３０を介してフェンス６３の支柱６４を固定することも可能である。
【００４５】
図２０は本発明の第５の実施例を例示する。この実施例では、コンクリート下地４は下側の基礎部４ａと、この基礎部４ａの上側のモルタルその他の表層部４ｂとからなる。そして、ベース板３１は基礎部４ａにアンカーボルト３２、ナット３５等により固定され、表層部４ｂにより覆われている。つまり、ベース板３１はコンクリート下地４内に埋設されている。
【００４６】
施工に際しては、先ずコンクリート下地４の基礎部４ａにアンカーボルト３２を埋設し、その後、支持部材３０が垂直になるようにベース板３１をアンカーボルト３２、ナット３５により固定する。そして、ベース板３１上にモルタル等を流し込んで表層部４ｂ内に埋め込んで行く。
【００４７】
このようにベース板３１はコンクリート下地４内に埋設してもよい。また既存のアンカー材がある場合には、そのアンカー材にアンカーボルト３２を溶接する等してベース板３１を固定した後、ベース板３１が埋入するようにモルタル等で仕上げてもよい。
【００４８】
従って、ベース板３１をコンクリート下地４に固定できれば十分であり、ベース板３１はコンクリート下地４の表面に固定してもよいし、コンクリート下地４内に埋設してもよい。またベース板３１が十分な面積を有し、埋入深さが深い場合には、アンカーボルト３２等は省略してもよい。  
【００４９】
以上、本発明の実施例について詳述したが、この実施例に限定されるものではなく、本発明の趣旨を逸脱しない範囲で種々の変更が可能である。実施例では、垂直パンタグラフ式の伸縮門扉、フェンス６３を例示しているが、その他のエクステリア構造物全般にも同様に適用可能である。例えば、各実施例では柱として、伸縮門扉の吊り元支柱２及び戸当たり支柱３、フェンス６３の支柱６４を例示しているが、その他のエクステリア構造物の支柱類は勿論のこと、出入口１の両側にそれ単独で立設される門柱等、各種の柱にも同様に採用可能である。
【００５０】
柱の断面形状は任意であるが、支持部材３０に套嵌される柱本体４０は筒状であることが望ましく、またカバー４２は柱本体４０とデザイン的な一体性を有するものであればよい。支持部材３０は柱本体４０の断面形状に応じて、ネジ３８で固定すべき側壁４０ａ，４５が支持部材３０に当接又は近接する構造であればよい。固定具はネジ３８の他、リベット等を使用してもよい。
【００５１】
係合爪５６は挿入部５３側に、係合部５５は柱本体４０側に夫々設けてもよい。係合部５５、係合爪５６は複数個設けてもよい。またキャップ４３は柱本体４０側に係脱自在に設ける他、カバー４２が断面筒状等の場合には、カバー４２側に係脱自在に設け、その挿入部５２〜５４等を柱本体４０に挿脱自在に挿入してもよい。
【図面の簡単な説明】
【００５２】
【図１】本発明の第１実施例を示し、（Ａ）は伸縮門扉の一部破断平面図、（Ｂ）はその一部破断正面図である。
【図２】伸縮門扉の戸当たり側部分の断面図である。
【図３】伸縮門扉の戸当たり側部分の平面図である。
【図４】扉体の戸当たり側の側面図である。
【図５】戸当たり支柱の側面図である。
【図６】施錠枠、戸当たり支柱等の下部側の平面断面図である。
【図７】施錠枠、戸当たり支柱等の下部側の正面断面図である。
【図８】戸当たり支柱の下部側の側面断面図である。
【図９】支持部材付きベース板の斜視図である。
【図１０】戸当たり支柱の前上部の側面断面図である。
【図１１】図１０のａ−ａ線断面図である。
【図１２】図１０のｂ−ｂ線断面図である。
【図１３】戸当たり支柱の後上部の側面断面である。
【図１４】図１３のｃ−ｃ線断面図である。
【図１５】図１３のｄ−ｄ線断面図である。
【図１６】本発明の第２実施例を示す戸当たり支柱の平面断面図である。
【図１７】本発明の第３実施例を示す支持部材付きベース板の一部破断斜視図である。
【図１８】本発明の第４実施例を示すフェンスの斜視図である。
【図１９】フェンスの要部の平面断面図である。
【図２０】本発明の第５実施例を示す戸当たり支柱等の下部側の正面断面図である。
【符号の説明】
【００５３】
３  戸当たり支柱
４  コンクリート下地
３１  ベース板
３０  支持部材
３８  ネジ（固定具）
４０ａ  側壁
４４  対向側壁
４５  反対向側壁
４０  支柱本体
４１  幅決め材
４２  カバー
４３  キャップ
４６  ネジ
５２〜５４  挿入部
４８  結合部
５５  係合部
５６  係合爪
６４  支柱
【図１】
0005208485.tif 000002
【図２】
0005208485.tif 000003
【図３】
0005208485.tif 000004
【図４】
0005208485.tif 000005
【図５】
0005208485.tif 000006
【図６】
0005208485.tif 000007
【図７】
0005208485.tif 000008
【図８】
0005208485.tif 000009
【図９】
0005208485.tif 000010
【図１０】
0005208485.tif 000011
【図１１】
0005208485.tif 000012
【図１２】
0005208485.tif 000013
【図１３】
0005208485.tif 000014
【図１４】
0005208485.tif 000015
【図１５】
0005208485.tif 000016
【図１６】
0005208485.tif 000017
【図１７】
0005208485.tif 000018
【図１８】
0005208485.tif 000019
【図１９】
0005208485.tif 000020
【図２０】
0005208485.tif 000021